(57)【要約】【課題】記録又は再生のための光の位置決めを精度良く行え、高密度に情報を記録することができるホログラム記録媒体を提供する。【解決手段】ホログラム記録媒体１は、情報が記録されるホログラム記録層６と、信号光及び参照光の位置決めのために用いられる第１位置決め層３ａ及び第２位置決め層３ｂと、を備える。第１位置決め層３ａと第２位置決め層３ｂとは、ホログラム記録層６に対して同一面側（図１ではホログラム記録層６の下側）に配置される。【選択図】図１
2008181608.tif 000002
【特許請求の範囲】
【請求項１】
信号光と参照光との干渉による干渉パターンによってホログラム記録媒体に情報を記録するホログラム記録装置において、
前記ホログラム記録媒体は、前記情報が記録されるホログラム記録層と、前記信号光及び前記参照光の位置決めのために用いられる複数の位置決め層と、を有し、前記複数の位置決め層が、前記ホログラム記録層に対して同一面側に配置されるように形成され、
前記信号光及び前記参照光とは異なる波長の光を出射する光源と、
前記光源から出射されて前記位置決め層で反射された反射光を受光する光検出部と、
を備え、
前記光検出部で取得した情報に基づいて、前記信号光及び前記参照光の照射位置を制御しながら情報の記録を行うことを特徴とするホログラム記録装置。
【請求項２】
信号光と参照光との干渉による干渉パターンによって情報が記録されるホログラム記録媒体において、
前記情報が記録されるホログラム記録層と、
前記信号光及び前記参照光の位置決めのために用いられる複数の位置決め層と、
を備え、
前記複数の位置決め層は、前記ホログラム記録層に対して同一面側に配置されることを特徴とするホログラム記録媒体。
【請求項３】
前記位置決め層のそれぞれには、前記信号光及び前記参照光を照射する位置を決めるために用いられる位置決めマークが形成されており、
前記位置決め層と直交する方向から見た場合に、前記複数の位置決め層の間で、前記位置決めマークが形成される位置は互いにずれていることを特徴とする請求項２に記載のホログラム記録媒体。
【請求項４】
前記位置決め層のそれぞれには、前記信号光及び前記参照光を照射する領域を決めるために用いられるトラックが形成されており、
前記位置決め層と直交する方向から見た場合に、前記複数の位置決め層の間で、前記トラックが形成される位置は互いにずれていることを特徴とする請求項２に記載のホログラム記録媒体。
【請求項５】
信号光と参照光との干渉による干渉パターンによって情報が記録されるホログラム記録媒体において、
前記情報が記録される複数のホログラム記録層と、
前記信号光及び前記参照光の位置決めのために用いられる複数の位置決め層と、
を備え、
前記ホログラム記録層と前記位置決め層とは交互に配置され、
前記位置決め層のそれぞれには、前記信号光及び前記参照光を照射する位置を決めるために用いられる位置決めマークが形成され、
前記位置決め層と直交する方向から見た場合に、前記複数の位置決め層の間で、前記位置決めマークが形成される位置は互いにずれていることを特徴とするホログラム記録媒体。
【請求項６】
信号光と参照光との干渉による干渉パターンによって情報が記録されるホログラム記録媒体において、
前記情報が記録される複数のホログラム記録層と、
前記信号光及び前記参照光の位置決めのために用いられる複数の位置決め層と、
を備え、
前記ホログラム記録層と前記位置決め層とは交互に配置され、
前記位置決め層のそれぞれには、前記信号光及び前記参照光を照射する領域を決めるために用いられるトラックが形成され、
前記位置決め層と直交する方向から見た場合に、前記複数の位置決め層の間で、前記トラックが形成される位置は互いにずれていることを特徴とするホログラム記録媒体。
【請求項７】
請求項２から６のいずれかに記載のホログラム記録媒体に情報の記録を行うホログラム記録方法であって、
前記位置決め層を用いて前記信号光及び前記参照光の照射位置を制御しながら情報の記録を行うことを特徴とするホログラム記録方法。
【請求項８】
請求項２から６のいずれかに記載のホログラム記録媒体に情報の記録を行うホログラム記録装置であって、
前記位置決め層を用いて前記信号光及び前記参照光の照射位置を制御することを特徴とするホログラム記録装置。
【請求項９】
請求項２から６のいずれかに記載のホログラム記録媒体に記録される情報の再生を行うホログラム再生方法であって、
前記位置決め層を用いて前記参照光の照射位置を制御しながら再生を行うことを特徴とするホログラム再生方法。
【請求項１０】
請求項２から６のいずれかに記載のホログラム記録媒体に記録される情報の再生を行うホログラム再生装置であって、
前記位置決め層を用いて前記参照光の照射位置を制御することを特徴とするホログラム再生装置。
【発明の詳細な説明】
【技術分野】
【０００１】
本発明は、ホログラフィーを利用して情報を記録するホログラム記録媒体に関し、特に情報を高密度に記録できるホログラム記録媒体に関する。また、本発明は、ホログラム記録媒体に情報を高密度に記録するホログラム記録方法及びその装置、並びに情報が高密度に記録されたホログラム記録媒体の再生を行うホログラム再生方法及びその装置に関する。
【背景技術】
【０００２】
ホログラフィーを利用して記録媒体に情報を記録するホログラム記録が従来提案されている。ホログラム記録は、ユーザデータ情報に応じて変調された２次元の光強度変調パターンを有する信号光と、所定の光強度パターンを有する参照光と、を記録媒体の内部で重ね合わせ、そのときにできる干渉縞を記録媒体に書き込むことによって行われる。このホログラム記録は、例えば角度多重方式、シフト多重方式、位相コード多重方式等の種々の多重記録方式によって行われ、記録媒体の同一位置又は互いに重なる領域に情報を多重して記録できるために、超高密度光記録が可能になるとされ、注目を集めている。
【０００３】
ところで、ホログラム記録媒体に情報を多重記録する場合、ホログラム記録媒体に対する情報光及び参照光の位置決めが重要となる。この点、例えば特許文献１には、光情報記録媒体に対する記録または再生のための光の位置決めを精度良く行えるようにした光情報記録媒体について紹介されている。
【０００４】
図１１は、特許文献１に紹介される光情報記録媒体（ホログラム記録媒体）１００の構成を説明するための図である。図１１に示すように、光情報記録媒体１００は、ポリカーボネート等によって形成された透明基板１０１の一面に、ボリュームホログラフィを利用して情報が記録される情報記録層としてのホログラム層１０２と、反射膜１０３と、保護層１０４と、をこの順番で積層して構成されている。そして、ホログラム層１０２と保護層１０４との境界には、半径方向に延びる複数の位置決め領域としてのアドレス・サーボエリア１０５が所定の角度間隔で設けられ、隣り合うアドレス・サーボエリア１０５間の扇形の区間がデータエリア１０６になっている。
【０００５】
このように光情報記録媒体１００は、情報光、記録用参照光、及び再生用参照光の位置決めのための情報が記録される位置決め領域（アドレス・サーボエリア１０５）を備えるために、記録又は再生のための光の位置決めを精度良く行うことが可能となる。しかし、特許文献１の示される光情報記録媒体の場合、記録媒体の厚み方向について一つの体積ホログラムしか形成されず、記録容量の点で効率的でない。このため、特許文献２には、ホログラフィーを利用して情報が記録される光情報記録媒体であって、より高密度に情報を記録することができる光情報記録媒体が紹介されている。
【０００６】
図１２は、特許文献２に紹介される光情報記録媒体（ホログラム記録媒体）２００の構成を示す説明図である。図１２に示すように、光情報記録媒体２００は、厚み方向に積層され、それぞれ、情報を担持した情報光と記録用参照光との干渉による干渉パターンによって情報が記録されると共に、再生参照光が照射されたときに、記録されている情報に対応した再生光を発生するための複数の情報記録層２０１と、各情報記録層２０１に対する情報光、記録用参照光、及び再生用参照光の位置決めのために用いられる位置決め層２０２と、を備えている。このため、光情報記録媒体２００は、記録媒体の厚み方向に複数の情報を記録することが可能となり、より高密度に情報を記録することが可能となる。
【特許文献１】特開平１０−１２４８７２号公報
【特許文献２】特開平１１−１２６３３５号公報
【発明の開示】
【発明が解決しようとする課題】
【０００７】
しかしながら、特許文献２に示される構成の光情報記録媒体（ホログラム記録媒体）の場合、一つの情報記録層を２つの位置決め層で挟んだ層を複数積層する構成であるために、厚み方向に記録できる情報の数を増やすことにより、光情報記録媒体の厚みが厚く成りやすい。また、特許文献２に示される構成の光情報記録媒体の場合、厚み方向の情報の記録を行った場合にクロストークが発生して、情報の再生品質が劣化する可能性がある。
【０００８】
以上の点を鑑みて、本発明の目的は、記録又は再生のための光の位置決めを精度良く行え、高密度に情報を記録することができるホログラム記録媒体を提供することである。また、本発明の他の目的は、高密度に情報を記録することができるとともに、クロストークを低減できるホログラム記録媒体を提供することである。更に本発明の目的は、そのようなホログラム記録媒体の記録を行う方法及びその装置、そのようなホログラム記録媒体に記録される情報の再生を行う方法及びその装置を提供することである。
【課題を解決するための手段】
【０００９】
上記目的を達成するために本発明は、信号光と参照光との干渉による干渉パターンによってホログラム記録媒体に情報を記録するホログラム記録装置において、前記ホログラム記録媒体は、前記情報が記録されるホログラム記録層と、前記信号光及び前記参照光の位置決めのために用いられる複数の位置決め層と、を有し、前記複数の位置決め層が、前記ホログラム記録層に対して同一面側に配置されるように形成され、前記信号光及び前記参照光とは異なる波長の光を出射する光源と、前記光源から出射されて前記位置決め層で反射された反射光を受光する光検出部と、を備え、前記光検出部で取得した情報に基づいて、前記信号光及び前記参照光の照射位置を制御しながら情報の記録を行うことを特徴としている。
【００１０】
また、上記目的を達成するために本発明は、信号光と参照光との干渉による干渉パターンによって情報が記録されるホログラム記録媒体において、前記情報が記録されるホログラム記録層と、前記信号光及び前記参照光の位置決めのために用いられる複数の位置決め層と、を備え、前記複数の位置決め層は、前記ホログラム記録層に対して同一面側に配置されることを特徴としている。
【００１１】
また、本発明は、上記構成のホログラム記録媒体において、前記位置決め層のそれぞれには、前記信号光及び前記参照光を照射する位置を決めるために用いられる位置決めマークが形成されており、前記位置決め層と直交する方向から見た場合に、前記複数の位置決め層の間で、前記位置決めマークが形成される位置は互いにずれていることを特徴としている。
【００１２】
また、本発明は、上記構成のホログラム記録媒体において、前記位置決め層のそれぞれには、前記信号光及び前記参照光を照射する領域を決めるために用いられるトラックが形成されており、前記位置決め層と直交する方向から見た場合に、前記複数の位置決め層の間で、前記トラックが形成される位置は互いにずれていることを特徴としている。
【００１３】
また、上記目的を達成するために本発明は、信号光と参照光との干渉による干渉パターンによって情報が記録されるホログラム記録媒体において、前記情報が記録される複数のホログラム記録層と、前記信号光及び前記参照光の位置決めのために用いられる複数の位置決め層と、を備え、前記ホログラム記録層と前記位置決め層とは交互に配置され、前記位置決め層のそれぞれには、前記信号光及び前記参照光を照射する位置を決めるために用いられる位置決めマークが形成され、前記位置決め層と直交する方向から見た場合に、前記複数の位置決め層の間で、前記位置決めマークが形成される位置は互いにずれていることを特徴としている。
【００１４】
また、上記目的を達成するために本発明は、信号光と参照光との干渉による干渉パターンによって情報が記録されるホログラム記録媒体において、前記情報が記録される複数のホログラム記録層と、前記信号光及び前記参照光の位置決めのために用いられる複数の位置決め層と、を備え、前記ホログラム記録層と前記位置決め層とは交互に配置され、前記位置決め層のそれぞれには、前記信号光及び前記参照光を照射する領域を決めるために用いられるトラックが形成され、前記位置決め層と直交する方向から見た場合に、前記複数の位置決め層の間で、前記トラックが形成される位置は互いにずれていることを特徴としている。
【００１５】
また、本発明は、上記構成のホログラム記録媒体に情報の記録を行うホログラム記録方法であって、前記位置決め層を用いて前記信号光及び前記参照光の照射位置を制御しながら記録を行うことを特徴としている。
【００１６】
また、本発明は、上記構成のホログラム記録媒体に情報の記録を行うホログラム記録装置であって、前記位置決め層を用いて前記信号光及び前記参照光の照射位置を制御することを特徴としている。
【００１７】
また、本発明は、上記構成のホログラム記録媒体に記録される情報の再生を行うホログラム再生方法であって、前記位置決め層を用いて前記参照光の照射位置を制御しながら再生を行うことを特徴としている。
【００１８】
また、本発明は、上記構成のホログラム記録媒体に記録される情報の再生を行うホログラム再生装置であって、前記位置決め層を用いて前記参照光の照射位置を制御することを特徴としている。
【発明の効果】
【００１９】
本発明の第１の構成によれば、信号光と参照光との干渉による干渉パターンによってホログラム記録媒体に情報を記録するホログラム記録装置において、ホログラム記録媒体が複数の位置決め層を有し、この位置決め層を利用してホログラム記録を行う信号光と参照光の照射位置を制御する構成となっているために、例えばシフト多重による多重記録に加えて、ホログラム記録媒体の厚み方向にも多重記録を行える。すなわち、高密度記録可能なホログラム記録装置を提供できる。
【００２０】
また、本発明の第２の構成によれば、複数の位置決め層を設ける構成であるために、例えばシフト多重による多重記録に加えてホログラム記録媒体の厚み方向にも精度良く多重記録することが可能となる。このため、本発明のホログラム記録媒体は高密度に情報を記録することができる。また、ホログラム記録媒体が備えるホログラム記録層を一層としてホログラム記録媒体の記録密度を増大できるため、高密度記録とホログラム記録媒体の厚み増加の抑制を両立できる。
【００２１】
また、本発明の第３の構成によれば、上記第２の構成のホログラム記録媒体において、複数の位置決め層の間で、信号光及び参照光を照射する位置を決めるために用いられる位置決めマークの形成位置を互いにずらす構成であるために、クロストークの低減が可能である。
【００２２】
また、本発明の第４の構成によれば、上記第２の構成のホログラム記録媒体において、複数の位置決め層の間で、信号光及び参照光を照射する領域を決めるために用いられるトラックの形成位置を互いにずらす構成であるために、クロストークの低減が可能である。
【００２３】
また、本発明の第５の構成によれば、複数のホログラム記録層及び複数の位置決め層を設ける構成であるために、例えばシフト多重による多重記録に加えてホログラム記録媒体の厚み方向にも精度良く多重記録することが可能となる。このため、本発明のホログラム記録媒体は高密度に情報を記録することができる。また、複数の位置決め層の間で、信号光及び参照光を照射する位置を決めるために用いられる位置決めマークの形成位置を互いにずらす構成であるために、クロストークの低減が可能である。
【００２４】
また、本発明の第６の構成によれば、複数のホログラム記録層及び複数の位置決め層を設ける構成であるために、例えばシフト多重による多重記録に加えてホログラム記録媒体の厚み方向にも精度良く多重記録することが可能となる。また、複数の位置決め層の間で、信号光及び参照光を照射する領域を決めるために用いられるトラックの形成位置を互いにずらす構成であるために、クロストークの低減が可能である。
【００２５】
また、本発明の第７の構成によれば、上記第２から第６のいずれか構成のホログラム記録媒体に対して記録を行うホログラム記録方法において、複数の位置決め層を用いて信号光及び参照光の照射位置を制御しながらホログラム記録を行うために、例えばシフト多重による多重記録に加えてホログラム記録媒体の厚み方向にも精度良く多重記録することができ、情報の高密度記録が可能となる。
【００２６】
また、本発明の第８の構成によれば、上記第２から第６のいずれか構成のホログラム記録媒体に記録を行うホログラム記録装置において、複数の位置決め層を用いて信号光及び参照光の照射位置を制御してホログラム記録を行うために、例えばシフト多重による多重記録に加えてホログラム記録媒体の厚み方向にも精度良く多重記録することが可能となる。
【００２７】
また、本発明の第９の構成によれば、上記第２から第６のいずれか構成のホログラム記録媒体の再生を行うホログラム再生方法において、複数の位置決め層を用いてホログラム記録媒体の厚み方向に多重記録した情報についても高品質で再生することが可能である。
【００２８】
また、本発明の第１０の構成によれば、上記第２から第６のいずれか構成のホログラム記録媒体の再生を行うホログラム再生装置において、複数の位置決め層を用いてホログラム記録媒体の厚み方向に多重記録が行われたホログラム記録媒体に対して、情報を高品質で再生できる。
【発明を実施するための最良の形態】
【００２９】
以下、本発明の内容について実施形態を挙げ、図面を参照しながら詳細に説明する。ただし、ここで示す実施形態は一例であり、本発明はここに示す実施形態に限定されるものではない。
【００３０】
（第１実施形態）
図１は、第１実施形態のホログラム記録媒体１の構成を説明するための図で、図１（ａ）は、ホログラム記録媒体１の概略平面図、図１（ｂ）は、図１（ａ）のＡ−Ａ位置における概略断面図である。なお、図１（ａ）においては、便宜的にホログラム記録媒体１のトラック１ａの一部を示している。また、図１（ａ）のＡ−Ａ方向は、トラック１ａ位置における接線方向（タンジェンシャル方向）に該当する。
【００３１】
図１に示すように、ホログラム記録媒体１は、円板状の基板２上に、第１位置決め層３ａ、ギャップ層４ａ、第２位置決め層３ｂ、ギャップ層４ｂ、ダイクロイックミラー層５、ギャップ層４ｃ、ホログラム記録層６、保護層７が、この順番に積層された構造となっている。
【００３２】
第１位置決め層３ａ及び第２位置決め層３ｂは、ホログラム記録媒体１へのホログラム記録を行う際に用いられる信号光及び参照光、あるいはホログラム記録媒体１に記録された情報の再生を行う際に用いられる参照光の照射位置について、位置決めを行うために用いられる層である。第１位置決め層３及び第２位置決め層３ｂには、凹凸ピットが連続して成るトラックが形成されている。このトラックは、円板状に形成される基板２の中心に対して同心円状に形成されている。なお、本実施形態では、トラックを同心円状に形成する構成としているが、これに限定されず、螺旋状等としても、もちろん構わない。
【００３３】
第１位置決め層３ａ及び第２位置決め層３ｂには、例えばＡｌ、Ａｇ、Ａｕ、又はそれらの合金等を用いた反射膜が形成されている。なお、少なくとも第２位置決め層３ｂに形成される反射膜は、ホログラム記録媒体１に入射した全ての赤色レーザ光を反射するのではなく、その一部のみを反射する半反射膜となっている。
【００３４】
また、図１に示すように、第１位置決め層３ａと第２位置決め層３ｂとに形成されるトラックは、ホログラム記録媒体１を上から見た場合に同一位置となっている。ただし、第１位置決め層３ａと第２位置決め層３ｂとの間では、ホログラム記録媒体１を上から見た場合に、凹凸ピットの凹凸の位置関係がずれた状態となるように形成されている。これにより、ホログラム記録媒体１に記録される情報のクロストークを低減することが可能となる。なお、このように形成される第１位置決め層３及び第２位置決め層４の作用の詳細については、後述する。
【００３５】
ホログラム記録媒体１を構成するギャップ層４ａ〜４ｃは、層間に所定厚さのギャップを形成する役割を有し、光の入射を妨げないものから成っている。例えば、位置決め層３ａと位置決め層３ｂとの間に設けられるギャップ層４ａの厚さは、４０〜５０μｍ程度とされる。また、ギャップ層４ｂ、４ｃは、例えば、位置決め層３ｂとホログラム記録層６と間隔が１〜２ｍｍ程度となるように形成される。ギャップ層４ａ〜４ｃを構成する材料については特に限定されるものではないが、例えば、ガラス、ポリカーボネートやポリイミド等のプラスチック、紫外線硬化型のアクリル樹脂などの材料が用いられる。
【００３６】
ホログラム記録層６は、信号光と参照光との干渉による干渉パターンによって情報が記録される層であり、その厚さは例えば５００μｍ程度である。このホログラム記録層６は、光が照射されたときに光の強度に応じて屈折率、誘電率、反射率等の光学的特性が変化する材料から成っており、例えばフォトポリマーが用いられる。
【００３７】
ダイクロイックミラー層５は、保護層７側から入射する緑色のレーザ光を反射し、赤色のレーザ光を透過する。すなわち、ダイクロイックミラー層５によって、ホログラム記録媒体１への記録再生に利用される緑色のレーザ光は、位置決め層３ａ、３ｂに達する前に反射される。一方、信号光及び参照光の位置決め（サーボ）のために用いられる赤色のレーザ光は、位置決め層３ａ、３ｂに到達することとなる。
【００３８】
なお、本実施形態においては、ダイクロイックミラー層５は、緑色のレーザ光を反射して、赤色のレーザ光を透過する構成としているが、これに限定される趣旨ではなく、ホログラム記録媒体１の記録や再生を行うために使用するレーザ光の種類によってその構成を適宜変更して構わない。
【００３９】
保護層７は、ホログラム記録層６を保護するもので、光の入射を妨げないものから成っている。保護層７を構成する材料については特に限定されるものではないが、例えば、ガラス、ポリカーボネートやポリイミド等のプラスチック、紫外線硬化型のアクリル樹脂などの材料が用いられる。
【００４０】
次に、以上のように構成されるホログラム記録媒体１の記録を行うホログラム記録装置と、ホログラム記録媒体１に記録された情報を再生するホログラム再生装置とが一体となったホログラム記録再生装置２１について説明する。
【００４１】
図２は、ホログラム記録再生装置２１の構成を示すブロック図である。なお、図２においては、本発明にかかわる特徴的な部分を主に示している。２２はスピンドルモータであり、ホログラム記録媒体１はスピンドルモータ２２の先端に設けられるチャック部（図示せず）にチャックされ、これにより記録再生時に回転される。スピンドルモータ２２の回転制御はスピンドルモータ駆動回路２３によって行われる。
【００４２】
２４は光ピックアップであり、これにより、ホログラム記録媒体１に対して信号光と参照光とを照射して情報を記録することが可能となるとともに、ホログラム記録媒体１に対して参照光を照射して、ホログラム記録媒体１に記録されている情報の再生が可能となる。図３は、ホログラム記録再生装置２１が備える光ピックアップ２４の光学系を示す概略図である。なお、本実施形態においては、信号光と参照光とを同一の光軸方向から入射させる所謂コリニア方式の光学系となっている。
【００４３】
図３に示すように、光ピックアップ２４は、第１光源３１と、シャッタ３２と、コリメートレンズ３３と、空間光変調器３４と、反射ミラー３５と、第１ビームスプリッタ３６と、ダイクロイックプリズム３７と、対物レンズ３８と、検出レンズ３９と、２次元イメージセンサ４０と、第２光源４１と、第２ビームスプリッタ４２と、フォトディテクタ４３と、を備える。
【００４４】
第１光源３１は、Ｎｄ−ＹＡＧレーザであり、波長５３２ｎｍの緑色のレーザ光を出射する。なお、第１光源３１は、これに限らず、本発明の目的を逸脱しない範囲で種々の変更が可能である。すなわち、例えば、半導体レーザ等としても構わず、使用する波長についても、適宜変更可能であり、例えば青色領域の波長等としても構わない。
【００４５】
シャッタ３２は、第１光源３１から出射されたレーザ光の通過と遮蔽を適宜切り替えるものである。これにより、ホログラム記録媒体１に照射される信号光や参照光の照射タイミングが制御される。コリメートレンズ３３は、第１光源３１から出射されたレーザ光を平行光に変換する。
【００４６】
空間光変調器３４は、記録時においては、入射光の中心部の光を、ページデータ（２次元データ）に応じて光強度変調された２次元の光強度変調パターンを有する信号光として取り出す。そして、入射光の外周部については、ページデータに応じた光強度変調を行わず、所定の光強度パターンを有する参照光として取り出す。図４は、空間光変調器３４を経たレーザ光の構成を模式的に示した図である。図４に示すように、空間光変調器３４を経たレーザ光は、その中心部に信号光が存在し、その周囲に参照光が存在する構成となる。
【００４７】
なお、ページデータの生成は、図示しない記録情報処理部によって、外部から入力されたメインデータを所定のエンコーディング方式によってエラー訂正符号化する等によって行われる。また、空間光変調器３４は、図示しないドライバによって、生成されたページデータに応じて駆動される。
【００４８】
空間光変調器３４は、再生時においては、記録時に信号光を取り出し部分について消光し、レーザ光を取り出さないようにする。また、記録時に参照光を取り出した部分については、記録時と同一の光強度パターンを有するレーザ光を参照光として取り出すようにする。すなわち、再生時においては、空間光変調器３４によってドーナツ形状を有する参照光のみが取り出されることとなる。
【００４９】
なお、空間光変調器３４としては、電気光学素子や磁気光学素子や液晶を用いて制御するデバイスや、いわゆるＤＭＤ（Digital Micromirror Device;登録商標）等が用いられる。
【００５０】
反射ミラー３５は、空間光変調器３４から送られてきたレーザ光を反射して第１ビームスプリッタ３６に送る。第１ビームスプリッタ３６は、反射ミラー３５から送られてきたレーザ光を反射してホログラム記録媒体１側へ導くとともに、ホログラム記録媒体１で反射された反射光を透過して、２次元イメージセンサ４０側へと導く。ダイクロイックプリズム３７は、第１光源３１から出射される緑色のレーザ光を透過し、後述する第２光源４１から出射される赤色レーザ光を反射する。
【００５１】
対物レンズ３８は、信号光及び参照光（記録時）、又は参照光のみ（再生時）をホログラム記録媒体１に集光する。そして、これにより記録時においては、対物レンズ３８によってホログラム記録媒体１に集光された信号光と参照光との干渉によって形成される干渉縞が、屈折率変化あるいは透過率変化としてホログラム記録媒体１のホログラム記録層６に書き込まれる。この屈折率変化あるいは透過率変化は回折格子として作用する。一方、再生時においては、対物レンズ３８によってホログラム記録媒体１に集光された参照光は、ホログラム記録層６に書き込まれた回折格子によって回折作用を受け、ホログラム記録媒体１から再生光として出射される。なお、本実施形態では、再生光はホログラム記録媒体１から反射光として取り出される。
【００５２】
また、対物レンズ３８は、アクチュエータ４４に搭載されており、このアクチュエータ４４により、対物レンズ３８はフォーカス方向（光軸と平行な方向）、及びトラッキング方向（ホログラム記録媒体１の半径方向と平行な方向）に移動可能となっている。そして、これにより、信号光及び参照光をホログラム記録媒体１の所望の位置に正しく位置決めして照射することが可能となる。なお、アクチュエータ４４の制御については後述する。
【００５３】
ホログラム記録媒体１から取り出された再生光は、対物レンズ３８、ダイクロイックプリズム３７、第１ビームスプリッタ３６の順に透過し、検出レンズ３９によって、例えばＣＣＤイメージセンサやＣＭＯＳイメージセンサ等から成る２次元イメージセンサ４０へと導かれる。２次元イメージセンサ４０は、図示しない再生情報処理部へ画像信号を送り、これによりホログラム記録媒体１に記録されるページデータの再生が行われる。
【００５４】
第２光源４１は、例えば赤色のレーザ光を出射する半導体レーザである。第２光源４１から出射されるレーザ光を赤色としている理由は、この第２光源３１から出射されるレーザ光は、ホログラム記録媒体１に形成される位置決め層３ａ、３ｂを用いて前述の信号光及び参照光の位置決め（サーボ）を行えるようにするものであり、ホログラム記録層６に用いるフォトポリマーに対して感受性がないレーザ光である必要があるからである。
【００５５】
第２ビームスプリッタ４２は、第２光源４１から出射されたレーザ光を透過するとともに、ホログラム記録媒体１の位置決め層３ａ、３ｂで反射された赤色の戻り光を反射してフォトディテクタ４３へと導く。フォトディテクタ４３は、ホログラム記録媒体１の位置決め層３ａ、３ｂで反射された赤色レーザ光を受光して電気信号へと変換する。
【００５６】
図１に戻って、サーボ用検出回路２５は、フォトディテクタ４３から送られてきた信号に基づいて、フォーカスエラー信号やトラッキングエラー信号等を生成する。なお、フォーカスエラー信号やトラッキングエラー信号は、例えばＣＤ、ＤＶＤ等の光ディスクにおいてフォーカスエラー信号やトラッキングエラー信号を得る公知の手法と同様の手法を用いて生成することができる。
【００５７】
生成されたフォーカス信号及びトラッキング信号はサーボ駆動回路２６、スライドモータ駆動回路２７に送られる。また、サーボ用検出回路２５は、フォトディテクタ４３から送られる電気信号から位置決め層３ａ、３ｂで反射された反射光の反射率に関する情報を得て、これをシステムコントローラ２９に送信する。
【００５８】
サーボ駆動回路２６は、フォーカスエラー信号及びトラッキングエラー信号に基づいて、アクチュエータ４４（図３参照）のフォーカス方向とトラッキング方向のサーボ制御を行う。また、スライドモータ駆動回路２７は、トラッキングエラー信号及びシステムコントローラ２９からの指令に基づいて、光ピックアップをホログラム記録媒体１の半径方向に移動する駆動装置（図示せず）の制御を行う。
【００５９】
このサーボ駆動回路２６及びスライドモータ駆動回路２７による制御により、対物レンズ３８が適宜所望の位置に位置決めされ、信号光及び参照光の照射位置について、正しく位置決めすることが可能となる。
【００６０】
シャッタ駆動回路２８は、システムコントローラ２９からの指令に基づいて、シャッタ３２（図３参照）位置におけるレーザ光（緑色）の通過と遮蔽の切り替えを制御する。なお、システムコントローラ２９は、前述したサーボ用検出回路２５から送られてきた反射率に関する情報により、信号光及び参照光（記録時）、或いは参照光のみ（再生時）を照射するタイミングを決定する。
【００６１】
システムコントローラ２９は、以上に示した働きに他に、ホログラム記録再生装置２１のシステム全体の制御を行う。
【００６２】
次に、ホログラム記録再生装置２１を用いてホログラム記録媒体１に記録再生を行う方法の一例について説明する。まず、ホログラム記録媒体１に記録を行う方法について、図５を用いて説明する。なお、図５（ａ）は、第２位置決め層３ｂによってサーボを行いながらホログラム記録を行う様子を示し、図５（ｂ）は、第１位置決め層３ａによるサーボ時のホログラム記録と、第２位置決め層３ｂによるサーボ時のホログラム記録とを対比して示した図である。
【００６３】
ホログラム記録媒体１にホログラム記録を行う場合、スピンドルモータ２２（図２参照）によってホログラム記録媒体１が回転され、第２光源４１（図３参照）から赤色レーザ光が常時出射された状態となり、第２位置決め層３ｂを用いてサーボ制御（フォーカスサーボ制御、トラッキングサーボ制御）が行われる。そして、先の記録位置に対して記録位置をトラックに沿ってシフトさせて多重記録を行う。この際、シフト量は、例えば、１０μｍ程度で、信号光と参照光が形成するスポットサイズ以下に設定される。
【００６４】
本実施形態においては、図５（ａ）に示すように、第２位置決め層３ｂに形成される凹凸ピットのうち、凹ピットＯＰの位置（凹ピットＯＰと凸ピットＴＰではその反射率が異なるために、凹ピットＯＰの位置が判断される）で、信号光及び参照光がホログラム記録媒体１に照射（第１光源３１から出射されるレーザ光がシャッタ３２を通過する）されてホログラム記録が行われる。
【００６５】
そして、第２位置決め層３ｂの凹凸ピットで形成される全てのトラックに従って上述のホログラム記録が行われると、次に、第１位置決め層３ａによってサーボ制御が行われるように、アクチュエータ４４によって対物レンズ３８の位置が調整される（図５（ｂ）の点線で示す対物レンズ３８が該当する）。この後、第２位置決め層３ｂによるサーボ制御が行われている場合と同様に、凹凸ピットの凹ピットＯＰの位置で、ホログラム記録が行われる。
【００６６】
このように、ホログラム記録を行う場合、例えば従来行われていたシフト多重による多重記録に加えて、ホログラム記録媒体１の厚み方向についても多重記録を精度良く行えるために、ホログラム記録媒体１の記録密度を高記録密度とできる。そして、本実施形態の場合、第１位置決め層３ａと第２位置決め層３ｂとで、ホログラム記録を行うために照射する信号光及び参照光の照射位置を決める凹ピットＯＰの位置がずらしてあるために、ホログラム記録媒体１のホログラム記録層６に記録される情報についてクロストークを低減できるようになっている。
【００６７】
ホログラム記録媒体１に記録される情報を再生する場合には、スピンドルモータ２２によってホログラム記録媒体１が回転され、第２光源４１（図３参照）から赤色レーザ光が常時出射された状態となり、第２位置決め層３ｂによってサーボ制御が行われる。そして、第２位置決め層３ｂの凹ピットＯＰの位置で、参照光が照射されてホログラム記録媒体１に記録された情報が再生される。
【００６８】
そして、第２位置決め層３ｂの凹凸ピットで形成される全てのトラックに従って情報の再生が行われると、次に、第１位置決め層３ａによってサーボが行われるように、アクチュエータ４４によって対物レンズ３８の位置が調整される。この後、第２位置決め層３ｂによるサーボ制御が行われている場合と同様に、凹ピットＯＰの位置で参照光が照射されて情報の再生が行われる。
【００６９】
なお、本実施形態においては、第２位置決め層３ｂに形成されるトラックの全てに従ってホログラム記録を行った後に、第１位置決め層３ａに形成されるトラックに従ってホログラム記録を行う構成としているが、これに限定される趣旨ではなく、本発明の目的を逸脱しない範囲で種々の変更が可能である。すなわち、例えば、第１位置決め層３ａに形成されるトラックに従ってホログラム記録を行った後に、第２位置決め層３ｂに形成されるトラックに従ってホログラム記録を行うようにしても構わない。また、例えば、トラック一周ごとに、第１位置決め層３ａによるサーボと第２位置決め層３ｂによるサーボを切り替えながら、ホログラム記録を行う構成等としても構わない。
【００７０】
また、本実施形態では、第１位置決め層３ａと第２位置決め層３ｂとで、位置決めマーク（本実施形態の凹ピットＯＰが該当）の位置をずらした構成としているが、必ずしも位置決めマークの位置をずらさなくても良い。この場合にも、ホログラム記録媒体１の厚み方向についても多重記録を精度良く行えるために、ホログラム記録媒体１の記録密度を高めることができる。ただし、クロストークを低減するために、位置決めマークをずらすのが好ましい。
【００７１】
また、本実施形態においては、凹凸ピットから成るトラックを形成して、凹ピットＯＰを位置決めマークとしているが、この構成に限定される趣旨ではない。例えば、グルーブから成るトラックを形成し、グルーブの欠落部分（全部欠落又は一部欠落）やグルーブの幅を太くした部分等を位置決めマークとしても構わない。
【００７２】
また、本実施形態では、信号光及び参照光を照射する位置を位置決めマーク（凹ピットＯＰ）が設けられている位置となるように構成しているが、必ずしもこの構成に限定される趣旨ではない。すなわち、例えば、位置決めマークを全く設けない構成とし、信号光及び参照光を照射する位置については、スピンドルモータ２２の回転速度と所定の基準位置とから判断する構成等としても良い。また、本実施形態のように信号光及び参照光を照射する全ての位置に対してそれぞれ位置決めマークを設けるのではなく、一部に対してのみ位置決めマークを設け、この位置決めマークを基準に信号光及び参照光を照射する位置を判断する構成等としても構わない。
【００７３】
また、本実施形態においては、図６（ａ）に示すように、ホログラム記録層６の下側に第１位置決め層３ａ及び第２位置決め層３ｂを形成する構成としたが、図６（ｂ）に示すように、第１位置決め層３ａ及び第２位置決め層３ｂをホログラム記録層６の上側に配置する構成としても、もちろん構わない。この場合にも、ホログラム記録媒体１の厚み方向についても多重記録を精度良く行え、ホログラム記録媒体１に高密度に情報を記録することができる。
【００７４】
（第２実施形態）
次に、第２実施形態について説明する。第２実施形態の説明にあたっては、第１実施形態と重複する部分については、特に必要がない場合にはその説明を省略する。また、第１実施形態と重複する構成要素については、同一の符号を付して説明する。なお、以上の点については、この後に説明する第３実施形態についても同様である。
【００７５】
図７は、第２実施形態のホログラム記録媒体５１の構成を説明するための図で、図７（ａ）は、ホログラム記録媒体５１の概略平面図、図７（ｂ）は、図７（ａ）のＢ−Ｂ位置における概略断面図である。なお、図７（ａ）においては、便宜的にホログラム記録媒体５１のトラック５１ａの一部を示している。また、図７（ａ）のＢ−Ｂ方向は、ホログラム記録媒体１の半径方向（ラジアル方向）に該当する。
【００７６】
第２実施形態のホログラム記録媒体５１を構成する要素は第１実施形態のホログラム記録媒体１と同様で、その積層順も同様である。ただし、第２実施形態のホログラム記録媒体５１においては、第１位置決め層３ａ及び第２位置決め層３ｂにグルーブから成るトラックＴＲが形成されており、このトラックＴＲが形成される位置が、第１位置決め層３ａと第２位置決め層３ｂとで互いにずれている（ホログラム記録媒体５１を上から見た場合に、互いにずれている）点が、第１実施形態のホログラム記録媒体１と異なる。
【００７７】
なお、トラックＴＲには、第１実施形態と同様に位置決めマーク（その形状は第１実施形態のところで述べたように種々の構成とできるが、本実施形態ではグルーブの欠落部分を位置決めマークとしている）が形成されている。この位置決めマークの位置は、第１実施形態の場合と同様に形成でき、例えば、信号光及び参照光を照射する全ての位置に対応するように形成される。また、トラックＴＲの構成についても、必ずしもグルーブとする必要はなく、例えば第１実施形態の場合と同様に連続凹凸ピットによって形成する構成等としても構わない。
【００７８】
次に、ホログラム記録再生装置を用いてホログラム記録媒体５１に記録再生を行う方法の一例について説明する。なお、ホログラム記録媒体５１の記録再生を行うホログラム記録再生装置は、第１実施形態のホログラム記録再生装置２１と同様であるために、ここではその説明は省略する。
【００７９】
まず、ホログラム記録媒体５１に記録を行う方法について、図８を参照して説明する。なお、図８は、第１位置決め層３ａによるサーボ時のホログラム記録と、第２位置決め層３ｂによるサーボ時のホログラム記録とを対比して示した図である。
【００８０】
ホログラム記録媒体５１にホログラム記録を行う場合、スピンドルモータ２２（図２参照）によってホログラム記録媒体５１が回転され、第２光源４１（図３参照）から赤色レーザ光が常時出射された状態となり、第２位置決め層３ｂを用いてサーボ制御（フォーカスサーボ制御、トラッキングサーボ制御）が行われる。そして、先の記録位置に対して記録位置をトラックに沿ってシフトさせて多重記録を行う。この際、シフト量は、例えば、１０μｍ程度で、信号光と参照光が形成するスポットサイズ以下に設定される。
【００８１】
本実施形態においては、第１実施形態と同様に、第２位置決め層３ｂに形成されるトラックＴＲに設けられる位置決めマークの所で、信号光と参照光がホログラム記録媒体５１に照射されてホログラム記録が行われる。そして、第２位置決め層３ｂの全てのトラックＴＲに従って上述のホログラム記録が行われると、次に、第１位置決め層３ａによってサーボ制御が行われるように、アクチュエータ４４によって対物レンズ３８の位置が調整される（図８の点線で示す対物レンズ３８が該当する）。この後、第２位置決め層３ｂによるサーボ制御が行われている場合と同様に、第１位置決め層３ａに形成される位置決めマークの所で、ホログラム記録が行われる。
【００８２】
このように、ホログラム記録を行う場合、従来行われていたシフト多重による多重記録に加えて、ホログラム記録媒体１の厚み方向についても多重記録を精度良く行えるために、ホログラム記録媒体１の記録密度を高記録密度とできる。そして、本実施形態の場合、第１位置決め層３ａと第２位置決め層３ｂとで、トラックＴＲが形成される位置が異なるために、ホログラム記録媒体５１のホログラム記録層６に記録される情報についてクロストークを低減できるようになっている。
【００８３】
ホログラム記録媒体５１に記録される情報を再生する場合には、スピンドルモータ２２によってホログラム記録媒体５１が回転され、第２光源４１（図３参照）から赤色レーザ光が常時出射された状態となり、第２位置決め層３ｂによってサーボ制御が行われる。そして、第２位置決め層３ｂに形成されるトラックＴＲに設けられる位置決めマークの所で、参照光が照射されてホログラム記録媒体５１に記録された情報が再生される。そして、第２位置決め層３ｂのトラックＴＲに従って情報の再生が行われると、次に、第１位置決め層３ａによってサーボ制御が行われるように、アクチュエータ４４によって対物レンズ３８の位置が調整される。この後、第２位置決め層３ｂによるサーボ制御が行われている場合と同様に、トラックＴＲに形成される位置決めマークの所で参照光が照射されて情報の再生が行われる。
【００８４】
なお、第２実施形態のホログラム記録媒体５１についても、第１実施形態のホログラム記録媒体１の場合と同様に、第１位置決め層３ａ及び第２位置決め層３ｂの位置をホログラム記録層６の上側に配置する構成としても、もちろん構わない。
【００８５】
（第３実施形態）
次に、第３実施形態について説明する。図９は、第３実施形態のホログラム記録媒体６１の構成を示す概略断面図である。なお、図９は、円盤状のホログラム記録媒体をトラック位置でタンジャンシャル方向に沿って切った断面図である。
【００８６】
図９に示すように、ホログラム記録媒体６１は、円板状の基板２の上に、第１位置決め層３ａ、ギャップ層４ａ、第１ホログラム記録層６ａ、ギャップ層４ｂ、第２位置決め層３ｂ、ギャップ層４ｃ、第２ホログラム記録層６ｂ、保護層７が、この順で積層された構成となっている。
【００８７】
第１位置決め層３ａは、第１ホログラム記録層６ａにホログラム記録を行う際に用いられる信号光及び参照光、あるいは第１ホログラム記録層６ａに記録された情報の再生を行う際に用いられる参照光の照射位置について、位置決めを行うために用いられる層である。一方、第２位置決め層３ｂは、第２ホログラム記録層６ｂの記録や再生を行う場合における、信号光及び参照光の照射位置について位置決めを行うために用いられる層である。
【００８８】
第１位置決め層３及び第２位置決め層３ｂには、凹凸ピットが連続して成るトラックが形成されている。そして、このトラックは、円板状の形成される基板２の中心に対して同心円状に形成されている。また、第１位置決め層３ａと第２位置決め層３ｂとに形成されるトラックは、ホログラム記録媒体６１を上から見た場合に同一位置となっている。ただし、第１位置決め層３ａと第２位置決め層３ｂとの間では、ホログラム記録媒体６１を上から見た場合に、凹凸ピットの凹凸の位置関係がずれた状態となるように形成されている。
【００８９】
なお、第１位置決め層３ａ及び第２位置決め層３ｂには反射膜が形成されている。そして、少なくとも第２位置決め層３ｂに形成される反射膜は、ホログラム記録媒体６１に入射した全てのレーザ光を反射するのではなく、その一部のみを反射する半反射膜となっている。
【００９０】
ギャップ層４ａ〜４ｃ、ホログラム記録層６ａ、６ｂ、及び保護層７の構成については、第１実施形態の場合と同様であるので、ここではその説明を省略する。
【００９１】
次に、このように構成されるホログラム記録媒体６１に対する情報の記録、及びホログラム記録媒体６１に記録された情報の再生時に作用について説明する。なお、本実施形態のホログラム記録媒体６１は、例えば、第１実施形態に示したホログラム記録再生装置２１を用いて、第１実施形態に示したのと同様の記録及び再生方法で、その記録再生が行える。
【００９２】
ホログラム記録媒体６１は、第１位置決め層３ａを用いて第１ホログラム記録層６ａに対して信号光及び参照光の照射位置を正確に決めてホログラム記録ができる。また、第１ホログラム記録層６ａに記録された情報を再生する際には、第１位置決め層３ａを用いて参照光の照射位置について正確に位置決めをしながら情報の再生が行える。
【００９３】
同様に、ホログラム記録媒体６１においては、第２位置決め層３ｂを用いて第２ホログラム記録層６ｂに対する情報の記録再生を信号光及び参照光の照射位置について、正確に位置決めをして行える。すなわち、ホログラム記録媒体６１においては、ホログラム記録媒体６１の厚み方向について、情報の記録を行えるために情報の記録密度を高めることができる。
【００９４】
そして、第１位置決め層３ａと第２位置決め層３ｂとで、信号光及び参照光の照射位置の位置決めを行う位置決めマーク（例えば、それぞれの層に形成される凹凸ピットのうちの凹ピットＯＰが該当）の位置がずらしてあるために、ホログラム記録媒体６１のホログラム記録層６ａ、６ｂに記録される情報についてクロストークを低減できる。
【００９５】
なお、本実施形態においては、クロストークを低減するために、トラックに沿って形成される位置決めマークの位置を第１位置決め層３ａと第２位置決め層３ｂとの間で互いにずらす構成としているが、これに限定される趣旨ではない。すなわち、図１０に示すように、第１位置決め層３ａと第２位置決め層３ｂとの間で、ホログラム記録媒体６１を上から見た場合にトラックＴＲの位置が互いにずれた状態となるように構成しても構わない。
【００９６】
また、本実施形態では、各ホログラム記録層６ａ、６ｂの記録再生を行う際に用いる位置決め層３ａ、３ｂの位置をそれぞれホログラム記録層６ａ、６ｂの下側に配置する構成としたが、それぞれホログラム記録層６ａ、６ｂの上側に配置する構成としても、もちろん構わない。
【００９７】
（その他）
以上に示した実施形態においては、位置決め層の数が２つである場合について示したが、これに限定される趣旨でなく、位置決め層の数は３つ以上であっても、もちろん構わない。
【００９８】
また、以上に示した実施形態においては、ホログラム記録媒体、ホログラム記録装置、及びホログラム再生装置について、反射型の構成の場合について示したが、これに限定される趣旨ではなく、透過型の構成の場合にも本発明は適用可能である。
【００９９】
更に、以上に示した実施形態では、ホログラム記録装置及びホログラム再生装置の光学系についてコリニア方式とした。しかし、本発明はコリニア方式の場合に限らず、信号光と参照光とを別々の方向からホログラム記録媒体に入射させる２光束方式の場合にも、もちろん適用可能である。
【産業上の利用可能性】
【０１００】
本発明のホログラム記録媒体、ホログラム記録方法及びその装置によれば、例えばシフト多重による多重記録に加えて、ホログラム記録媒体の厚み方向についても多重記録を精度良く行える。このため、ホログラム記録媒体の記録密度を高めることが可能となる。また、ホログラム記録媒体に記録される情報についてクロストークを低減できる。また、本発明のホログラム再生方法及びその装置によれば、高密度に情報が記録されたホログラム記録媒体について高品質の再生が可能となる。従って、本発明はホログラム記録媒体、ホログラム装置の分野において非常に有用である。
【図面の簡単な説明】
【０１０１】
【図１】は、第１実施形態のホログラム記録媒体の構成を説明するための図である。
【図２】は、第１実施形態のホログラム記録再生装置の構成を示すブロック図である。
【図３】は、第１実施形態のホログラム記録再生装置が備える光ピックアップの光学系の構成を示す概略図である。
【図４】は、第１実施形態の光ピックアップが備える空間光変調器を経たレーザ光の構成を模式的に示した図である。
【図５】は、第１実施形態のホログラム記録媒体に記録を行う方法について説明するための図である。
【図６】は、第１実施形態のホログラム記録媒体の変形例を説明するための図である。
【図７】は、第２実施形態のホログラム記録媒体の構成を説明するための図である。
【図８】は、第２実施形態のホログラム記録媒体に記録を行う方法について説明するための図である。
【図９】は、第３実施形態のホログラム記録媒体の構成を示す概略断面図である。
【図１０】は、第３実施形態のホログラム記録媒体の変形例を説明するための図である。
【図１１】は、従来のホログラム記録媒体の構成を説明するための図である。
【図１２】は、従来のホログラム記録媒体の構成を説明するための図である。
【符号の説明】
【０１０２】
１、５１、６１    ホログラム記録媒体
３ａ              第１位置決め層
３ｂ              第２位置決め層
６                ホログラム記録層
２１              ホログラム記録再生装置（ホログラム記録装置及びホログラム                        再生装置）
４１              第２光源
４３              フォトディテクタ（光検出部）
ＯＰ              凹ピット（位置決めマーク）
ＴＲ              トラック
【図２】
2008181608.tif 000003
【図３】
2008181608.tif 000004
【図１１】
2008181608.tif 000005
【図１２】
2008181608.tif 000006
【図１】
2008181608.tif 000007
【図４】
2008181608.tif 000008
【図５】
2008181608.tif 000009
【図６】
2008181608.tif 000010
【図７】
2008181608.tif 000011
【図８】
2008181608.tif 000012
【図９】
2008181608.tif 000013
【図１０】
2008181608.tif 000014